(57)【特許請求の範囲】
【請求項１】
機構的に独立した一つのユニットで構成される電力を出力する第１の出力モジュールと第２の出力モジュールとを備え、前記第１の出力モジュールは出力電流を制限する電流制限手段として、この出力電流を第１の電流制限値に制限する第１の電流制限手段と、該出力電流を第２の電流制限値に制限する第２の電流制限手段とを備え、前記第２の出力モジュールは出力電流を制限する電流制限手段として、この出力電流を第３の電流制限値に制限する第３の電流制限手段だけを備え、前記第１の出力モジュールと前記第２の出力モジュールのいずれかを、装置本体の一乃至複数のチャンネル毎に着脱可能に設け、さらに前記装置本体の各チャンネル毎に装着される前記出力モジュールの種類及び／又は有無を示す表示部を設けたことを特徴とする電源装置。
【請求項２】
機構的に独立した一つのユニットで構成される電力を出力する第１の出力モジュールと第２の出力モジュールとを備え、前記第１の出力モジュールは出力電流を制限する電流制限手段として、この出力電流を第１の電流制限値に制限する第１の電流制限手段と、該出力電流を第２の電流制限値に制限する第２の電流制限手段とを備え、前記第２の出力モジュールは出力電流を制限する電流制限手段として、この出力電流を第３の電流制限値に制限する第３の電流制限手段だけを備え、前記第１の出力モジュールと前記第２の出力モジュールのいずれかを、装置本体の一乃至複数のチャンネル毎に着脱可能に設けた電源装置において、前記装置本体の各チャンネル毎に装着される前記出力モジュールの種類及び／又は有無を入力し、この入力情報に基づいて、前記装置本体の各チャンネル毎に装着される前記出力モジュールの種類を表示する電源装置の表示作成方法。
【請求項３】
機構的に独立した一つのユニットで構成される電力を出力する第１の出力モジュールと第２の出力モジュールとを備え、前記第１の出力モジュールは出力電流を制限する電流制限手段として、この出力電流を第１の電流制限値に制限する第１の電流制限手段と、該出力電流を第２の電流制限値に制限する第２の電流制限手段とを備え、前記第２の出力モジュールは出力電流を制限する電流制限手段として、この出力電流を第３の電流制限値に制限する第３の電流制限手段だけを備え、前記第１の出力モジュールと前記第２の出力モジュールのいずれかを、装置本体の一乃至複数のチャンネル毎に着脱可能に設けた電源装置において、前記装置本体の各チャンネル毎に装着される前記出力モジュールの種類及び／又は有無を検出し、この検出情報に基づいて、前記装置本体の各チャンネル毎に装着される前記出力モジュールの種類及び／又は有無を表示する電源装置の表示作成方法。
【発明の詳細な説明】
【０００１】
【発明の属する技術分野】
本発明は、機構的に独立した一つのユニットで構成される電力を出力する出力モジュールを備えた電源装置およびこの電源装置の表示作成方法に関する。
【０００２】
【発明が解決しようとする課題】
一般に、電気，電子機器などの各種負荷に安定した直流電圧を供給するために、例えばスイッチング方式やドロッパ方式などの電源装置が用いられている。こうした電源装置は、例えばスイッチング方式の場合、交流100ボルトや200ボルトなどの商用電源電圧を整流平滑して、これをスイッチング素子のスイッチングにより断続的にトランスの一次巻線に印加するとともに、このトランスの二次巻線に誘起された電圧を、出力回路である整流平滑回路により整流平滑し、負荷に所定の出力電圧を供給する。また、この出力電圧の変動に応じて前記スイッチング素子のパルス導通幅を制御することにより、安定化した出力電圧を得るようにしている。さらに近年では、仕様の異なる出力電圧，出力電流（出力電力）の出力モジュールを複数種用意し、このなかから所望の出力モジュールを電源本体の一乃至複数のチャンネルに装着したいわゆるモジュラー構造の多出力電源装置も知られている。
【０００３】
図７はこうした従来の電源装置を概略的に示したものである。同図において、１は矩形箱状の電源装置の本体すなわち装置本体、２はこの装置本体１の長手方向一側にある開口部２から装置本体１内に着脱自在に設けられる出力モジュール３である。ここでは３チャンネル分の取付けスペースを有する装置本体１に対し、３個の出力モジュール３が全て装着されているが、装置本体１における出力モジュール３の最大設置可能数すなわちチャンネル数や、装置本体１に装着される出力モジュール３の取付け個数は任意である。
【０００４】
図８は、図７における各出力モジュール３の回路図を示したものである。同図において、11は装置本体１側にコアや一次巻線（図示せず）が取付けられるトランスの二次巻線で、この二次巻線11の一端には磁気増幅器であるマグアンプ12が接続される。また、13は二次巻線11に誘起される電圧を整流平滑し、出力端子＋Ｖｏ，−Ｖｏ間に直流出力電圧Ｖを出力する整流平滑回路である。装置本体１には前記トランスと共にインバータ回路を構成するスイッチング素子が設けられており、このスイッチング素子をスイッチングすることにより、前記トランスの一次巻線に直流入力電圧を断続的に印加して、二次巻線11より電圧を誘起する構成となっている。
【０００５】
一方、14はダイオード15を介して前記マグアンプ12の飽和，非飽和を制御する制御回路で、この制御回路14に、前記出力電圧Ｖの変動を検出する電圧検出回路16からの電圧検出信号と、出力電圧ラインに流れる電流すなわち出力電流Ｉを検出する電流検出回路17からの電流検出信号が、それぞれ供給されるようになっている。
【０００６】
そして、この出力モジュール３では、出力電圧Ｖが電圧検出回路16により検出されるので、出力端子＋Ｖｏ，−Ｖｏ間に発生する出力電圧Ｖが変動した場合には、これが電圧検出信号の変動として制御回路14に供給される。制御回路14は、マグアンプ12の飽和，非飽和を調整し、出力電圧Ｖが一定値になるように制御する。また、出力端子＋Ｖｏ，−Ｖｏ間に接続する負荷（図示せず）側の回路において、例えば過負荷や短絡事故などが発生し、出力モジュール３の出力電流Ｉが増大すると、電流検出回路17から検出される電流検出信号に基づき、制御回路14はマグアンプ12の飽和，非飽和を調整して、出力電流Ｉを所定の電流制限値に制限し、出力モジュール３およびこれに接続する負荷側の回路を保護する。つまり、ここでは電流検出回路17，制御回路14，ダイオード15およびマグアンプ12が、過電流保護回路としての電流制限手段18に相当する。
【０００７】
このように、従来の電源装置における負荷の過電流保護は１回路のみで、特に上記モジュラー構造の電源装置にあっては、出力モジュール３に単一の過電流保護回路しか設けられていないのが現状であった。ところが、もしこの過電流保護回路に故障が生じた場合、負荷に過大電流が流れ、負荷を構成する装置（負荷装置）の破損につながる。また、過大な電流は負荷のみならず電源装置の出力回路（出力モジュール３）側にも流れるため、電源装置自体の破損につながる。
【０００８】
このため、負荷装置側においては、安全性を確保するためにヒューズを挿入したり、あるいは復帰型のサーキットブレーカーやリレーなどを電源供給ラインに挿入することにより、過大電流の流れ込みを防止する措置が取られていた。また、万一の場合でも発煙や発火につながらないように、使用する部品は難燃性の高いもの、あるいは自己消火性を有する特殊な材料を使用していた。しかしこれは、結果的に負荷装置のコスト増大と、部品点数の増加を招いていた。
【０００９】
そこで本発明は、負荷装置並びに電源装置に対する安全性を高めた電源装置とその表示作成方法を提供することをその目的とする。
【００１０】
【課題を解決するための手段】
本発明の請求項１の電源装置は、前記目的を達成するために、機構的に独立した一つのユニットで構成される電力を出力する第１の出力モジュールと第２の出力モジュールとを備え、前記第１の出力モジュールは出力電流を制限する電流制限手段として、この出力電流を第１の電流制限値に制限する第１の電流制限手段と、該出力電流を第２の電流制限値に制限する第２の電流制限手段とを備え、前記第２の出力モジュールは出力電流を制限する電流制限手段として、この出力電流を第３の電流制限値に制限する第３の電流制限手段だけを備え、前記第１の出力モジュールと前記第２の出力モジュールのいずれかを、装置本体の一乃至複数のチャンネル毎に着脱可能に設け、さらに前記装置本体の各チャンネル毎に装着される前記出力モジュールの種類及び／又は有無を示す表示部を設けたものである。
【００１１】
この場合、少なくとも第１の出力モジュールには二重の電流制限が設けられるので、仮に２系統のうち一方の系統が故障に陥っても、他方の系統により確実に出力電流を制限することができ、モジュラー構造の電源装置としての安全性が高まる。また、第１の出力モジュールに二重の電流制限機能を持たせることで、第１の出力モジュールに接続する負荷装置の安全性も確保され、負荷装置にあった保護部品および特殊材料の使用を削除できる。
【００１２】
また、同一の電源装置から一乃至複数の負荷装置に電力を供給する場合、負荷装置の数に応じて第１の出力モジュールまたは第２の出力モジュールのいずれかを、装置本体の空いているチャンネルに装着すればよい。その際、負荷装置の特性（種類）によっては、破損などの心配が無いものもあれば、逆に破損などの可能性が高いものもある。したがって、破損などの心配が無い負荷装置に対しては、負荷装置側の安全性がさほど要求されないので、電流制限機能が単一の第２の出力モジュールを使用し、破損などの可能性が高いものもに対しては、負荷装置側の安全性を考慮して、電流制限機能が二重の第１の出力モジュールを使用する。このように、負荷装置の特性に応じて、第１の出力モジュールまたは第２の出力モジュールのいずれかを選択でき、装置本体の各チャンネル毎に電流制限を二重にした第１の出力モジュールを装着するか、電流制限が単一である通常の第２のモジュールを使用するかを、ユーザー側で自由に選定することができる。
【００１３】
さらに、表示部を視認することによって、装置本体の各チャンネル毎に、第１の出力モジュールが装着されているのか、第２の出力モジュールが装着されているのか、あるいは出力モジュールの装着の有無を直ちに確認できる。なお、この場合の表示は、出力モジュールの種類または有無のいずれか一方又は両方である。
【００１４】
本発明の請求項２における電源装置の表示作成方法は、機構的に独立した一つのユニットで構成される電力を出力する第１の出力モジュールと第２の出力モジュールとを備え、前記第１の出力モジュールは出力電流を制限する電流制限手段として、この出力電流を第１の電流制限値に制限する第１の電流制限手段と、該出力電流を第２の電流制限値に制限する第２の電流制限手段とを備え、前記第２の出力モジュールは出力電流を制限する電流制限手段として、この出力電流を第３の電流制限値に制限する第３の電流制限手段だけを備え、前記第１の出力モジュールと前記第２の出力モジュールのいずれかを、装置本体の一乃至複数のチャンネル毎に着脱可能に設けた電源装置において、前記装置本体の各チャンネル毎に装着される前記出力モジュールの種類及び／又は有無を入力し、この入力情報に基づいて、前記装置本体の各チャンネル毎に装着される前記出力モジュールの種類を表示する方法である。
【００１５】
この場合、装置本体の各チャンネル毎にどの種類の出力モジュールが装着されるのか、あるいは出力モジュールの有無を入力すると、それが直ちに表示される。なお、この場合の入力は、出力モジュールの種類または有無のいずれか一方又は両方である。
【００１６】
本発明の請求項３における電源装置の表示作成方法は、機構的に独立した一つのユニットで構成される電力を出力する第１の出力モジュールと第２の出力モジュールとを備え、前記第１の出力モジュールは出力電流を制限する電流制限手段として、この出力電流を第１の電流制限値に制限する第１の電流制限手段と、該出力電流を第２の電流制限値に制限する第２の電流制限手段とを備え、前記第２の出力モジュールは出力電流を制限する電流制限手段として、この出力電流を第３の電流制限値に制限する第３の電流制限手段だけを備え、前記第１の出力モジュールと前記第２の出力モジュールのいずれかを、装置本体の一乃至複数のチャンネル毎に着脱可能に設けた電源装置において、前記装置本体の各チャンネル毎に装着される前記出力モジュールの種類及び／又は有無を検出し、この検出情報に基づいて、前記装置本体の各チャンネル毎に装着される前記出力モジュールの種類及び／又は有無を表示する方法である。
【００１７】
この場合、どちらの種類の出力モジュールが装着されたのかをいちいち入力することなく、自動的に装置本体の各チャンネルにどちらの出力モジュールが装着されているのか、あるいは出力モジュールが有るかないかを表示することができる。なお、この場合の検出及び表示は、出力モジュールの種類または有無のいずれか一方又は両方である。
【００１８】
【発明の実施形態】
以下、添付図面に基づき、本発明における電源装置の一実施例を図１〜図３に基づき説明する。なお、前記従来例と同一箇所には同一符号を付し、その共通する部分の詳細な説明は省略する。電源装置の概略構成をあらわした図１において、１は矩形箱状の電源装置の本体すなわち装置本体、２はこの装置本体１の長手方向一側にある開口部２から装置本体１内に一乃至複数設けられた第１の出力モジュールに相当する出力モジュール４である。この出力モジュール４は、外形上は前記従来例で示した第２の出力モジュールに相当する出力モジュール３と殆ど同一であるが、電流制限機能が二重に設けられている点で、出力モジュール３とは電気的な構成が異なっている。出力モジュール４は前記出力モジュール３と同様に、各々電力を出力する機能を有しており、機構的に独立した一つのユニットとして、装置本体１に各々着脱可能に設けられる。
【００１９】
図２は、出力モジュール４の回路図を示したものである。同図において、21は装置本体１側にコアや一次巻線（図示せず）が取付けられるトランスの二次巻線で、この二次巻線21の一端には磁気増幅器であるマグアンプ22が接続される。また、23は二次巻線21に誘起される電圧を整流平滑し、出力端子＋Ｖｏ，−Ｖｏ間に直流出力電圧Ｖを出力する整流平滑回路である。装置本体１には前記トランスと共にインバータ回路を構成するスイッチング素子が設けられており、このスイッチング素子をスイッチングすることにより、前記トランスの一次巻線に直流入力電圧を断続的に印加して、二次巻線21より電圧を誘起する構成となっている。
【００２０】
一方、24はダイオード25を介して前記マグアンプ22の飽和，非飽和を制御する制御回路で、この制御回路24に、前記出力電圧Ｖの変動を検出する電圧検出回路26からの電圧検出信号と、出力電圧ラインに流れる電流すなわち出力電流Ｉを検出する電流検出回路27からの電流検出信号が、それぞれ供給されるようになっている。そして、電流検出回路27，制御回路24，ダイオード25およびマグアンプ22により、出力電流Ｉを第１の電流制限値Ｉp1に制限する第１の電流制限手段28が構成される。
【００２１】
さらに、31はダイオード32を介して前記マグアンプ22の飽和，非飽和を制御する別の制御回路で、この制御回路31には、出力電圧ラインに流れる電流すなわち出力電流Ｉを検出する電流検出回路33からの電流検出信号が供給されるようになっている。そして、電流検出回路33，制御回路31，ダイオード32およびマグアンプ22により、出力電流Ｉを第２の電流制限値Ｉp2に制限する第２の電流制限手段34が構成される。
【００２２】
なお、本実施例では電圧検出回路26からの電圧検出信号を制御回路24に供給しているが、図中破線で示すように、制御回路31にも供給してもよい。また制御回路31だけに電圧検出信号を供給してもよい。また、第１の電流制限値Ｉp1と第２の電流制限値Ｉp2は同じ値であってもよいし、異なる値であってもよい。
【００２３】
本実施例では、主として電源装置自体を保護する目的で設けられた通常の過電流保護回路として第１の電流制限手段28を設け、電源装置がいかなる状態に陥っても、電源装置や出力モジュール４に接続する負荷装置が破損しないように保護するための、安全規格上の制約から生じた電力制限回路として、第２の電流制限手段34を設けている。そのために、第２の電流制限値Ｉp2は、出力モジュール４から取り出せる電力を、安全規格上の仕様を満足する上で取り決められた特定の電力制限値に制限する値に設定されるとともに、第１の電流制限値Ｉp1よりも大きく設定される。すなわち、ここでいう出力モジュール４は、出力電力が特定の電力制限値を超えないように制限された規格対応出力モジュールに相当する。一方、従来例で示した出力モジュール３は、通常の過電流保護回路だけが第３の電流制限手段18として設けられた非規格対応出力モジュールに相当する。
【００２４】
そして、この出力モジュール４では、出力電圧Ｖが電圧検出回路26により検出されるので、出力端子＋Ｖｏ，−Ｖｏ間に発生する出力電圧Ｖが変動した場合には、これが電圧検出信号の変動として制御回路24に供給される。制御回路24は、マグアンプ22の飽和，非飽和を調整し、出力電圧Ｖが一定値になるように制御する。また、出力端子＋Ｖｏ，−Ｖｏ間に接続する負荷（図示せず）側の回路において、例えば過負荷や短絡事故などが発生し、出力モジュール４の出力電流Ｉが増大すると、第１の電流制限手段28を構成する電流検出回路27から検出される電流検出信号に基づき、制御回路24はマグアンプ22の飽和，非飽和を調整して、出力電流Ｉを第１の電流制限値Ｉp1に制限し、出力モジュール４およびこれに接続する負荷装置を保護する。また出力電流Ｉの増大は、第２の電流制限手段34を構成する電流検出回路33でも検出され、この電流検出回路33からの電流検出信号に基づき、制御回路31はマグアンプ22の飽和，非飽和を調整して、出力電流Ｉを第２の電流制限値Ｉp2に制限し、出力モジュール４およびこれに接続する負荷装置を保護する。このように、出力電流Ｉが増大すると、２系統の電流制限手段28，34で出力電流Ｉが制限されるとともに、電流制限手段28，34が二重に設けられているので、仮に２系統のうち一方の系統が故障に陥っても、他方の系統により確実に出力電流Ｉを制限することができ、出力モジュール４並びに負荷装置の破損を未然に防止できる。
【００２５】
本実施例では装置本体１に３チャンネル分の取り付けスペースが確保されており、図１ではその全てのチャンネルに電流制限を二重に設けた出力モジュール４が装着される。したがって、この場合は、出力モジュール４に接続する全ての負荷装置の安全性が確保される。一方、負荷の特性（種類）によっては、破損などの心配が無いものもあれば、逆に破損などの可能性が高いものもある。したがって、この場合は図３に示すように、出力モジュール３，４を混載し、破損などの心配が無い負荷装置に対応しては、前記従来例で示した通常の過電流保護機能だけを有する出力モジュール３を装着し、破損などの可能性が高いものもに対しては、負荷装置側の安全性を考慮して、電流制限が二重に設けられた出力モジュール４を装着する。こうすれば、負荷装置の特性に応じて、非規格対応の出力モジュール３または規格対応の出力モジュール４のいずれかを選択できる。
【００２６】
さらに、上記図１および図３では、装置本体１の全チャンネルが出力モジュール３または出力モジュール４に占有されているが、例えば負荷装置の数が全チャンネル数よりも少ない場合は、余ったチャンネルには何も設置せずに、空スペース状態にしておいてもよい。また、これとは別の目的で、空スペースのチャンネルに別の機能を有するモジュールを装着して、電源装置としてより使い勝手を高めてもよい。出力電圧や出力電力（出力電流）などの異なる出力モジュール３または出力モジュール４を複数種用意し、そのなかから所望の出力モジュール３または出力モジュール４を装置本体１に装着すれば、モジュール構造を有する多出力の電源装置として、その機能性を高めることができる。
【００２７】
各出力モジュール３，４は、トランスの二次巻線11，21で装置本体１と着脱されるようになっている。この場合、出力モジュール３，４に可撓性を有するシート状の二次巻線11，21を一体に取付け、この二次巻線11，21と、図示しない入力モジュールに一体の一次巻線とを、トランスのコアに連結して双方の接続を図ってもよい。その具体的な手法は、特許第２８９３６７７号公報において公知である。また、トランスのコアで各出力モジュール３，４を連結するのではなく、例えば金属板と固定金具とからなる接続部を利用して、出力モジュール３，４を装置本体１側の回路部品と電気的かつ機械的に連結してもよい。
【００２８】
以上のように本実施例では、機構的に独立した一つのユニットで構成される電力を出力する出力モジュール４に、出力電流Ｉを制限する電流制限手段として、この出力電流Ｉを第１の電流制限値Ｉp1に制限する第１の電流制限手段28と、出力電流Ｉを第２の電流制限値Ｉp2に制限する第２の電流制限手段34とを備えている。
【００２９】
この場合、出力モジュール４自体に二重の電流制限が設けられるので、仮に２系統のうち一方の系統が故障に陥っても、他方の系統により確実に出力電流を制限することができ、出力モジュール４を備えたいわゆるモジュラー構造の電源装置としての安全性が高まる。また、出力モジュール４に二重の電流制限機能を持たせることで、出力モジュール４に接続する負荷装置の安全性も確保され、負荷装置にあった保護部品および特殊材料の使用を削除できる。
【００３０】
また本実施例では、出力モジュール４が、装置本体１の一乃至複数チャンネルに着脱可能に設けられている。同一の電源装置から一乃至複数の負荷装置に電力を供給する場合、負荷装置の数に応じて出力モジュール４を装置本体１の空いているチャンネルに装着すればよい。こうすれば、各出力モジュール４に接続した負荷装置毎に二重の電流制限機能が働き、電源装置のみならず全ての負荷装置に対する安全性が高まる。また、それぞれの負荷装置にあった保護部品および特殊材料の使用を削除できる。
【００３１】
さらに本実施例では、機構的に独立した一つのユニットで構成される電力を出力する第１の出力モジュール４と第２の出力モジュール３とを備え、第１の出力モジュール４は出力電流Ｉを制限する電流制限手段として、この出力電流Ｉを第１の電流制限値Ｉp1に制限する第１の電流制限手段28と、出力電流Ｉを第２の電流制限値Ｉp2に制限する第２の電流制限手段34とを備え、第２の出力モジュール３は出力電流Ｉを制限する電流制限手段として、この出力電流Ｉを第３の電流制限値Ｉp3に制限する第３の電流制限手段18だけを備え、第１の出力モジュール４と第２の出力モジュール３のいずれかを、装置本体１の一乃至複数のチャンネル毎に着脱可能に設けている。
【００３２】
この場合、少なくとも第１の出力モジュール４には二重の電流制限が設けられるので、仮に２系統のうち一方の系統が故障に陥っても、他方の系統により確実に出力電流を制限することができ、モジュラー構造の電源装置としての安全性が高まる。また、第１の出力モジュール４に二重の電流制限機能を持たせることで、第１の出力モジュール４に接続する負荷装置の安全性も確保され、負荷装置にあった保護部品および特殊材料の使用を削除できる。
【００３３】
また、同一の電源装置から一乃至複数の負荷装置に電力を供給する場合、負荷装置の数に応じて第１の出力モジュール４または第２の出力モジュール３のいずれかを、装置本体１の空いているチャンネルに装着すればよい。その際、負荷装置の特性（種類）によっては、破損などの心配が無いものもあれば、逆に破損などの可能性が高いものもある。したがって、破損などの心配が無い負荷装置に対しては、負荷装置側の安全性がさほど要求されないので、電流制限機能が単一の第２の出力モジュール３を使用し、破損などの可能性が高いものもに対しては、負荷装置側の安全性を考慮して、電流制限機能が二重の第１の出力モジュール４を使用する。このように、負荷装置の特性に応じて、第１の出力モジュール４または第２の出力モジュール３のいずれかを選択でき、装置本体の各チャンネル毎に電流制限を二重にした第１の出力モジュール４を装着するか、電流制限が単一である通常の第２のモジュール３を使用するかを、ユーザー側で自由に選定することができる。
【００３４】
ところで、前記出力モジュール３，４は外形上の相違が殆どなく、特に図３に示すように出力モジュール３，４を混載する場合は、ユーザー側では装置本体１の各チャンネルに装着されている出力モジュールの種類を直接見分けることができない。そこで、本実施例ではこうした点を考慮して、装置本体１の各チャンネル毎に装着される出力モジュール３，４の種類を示す銘板シールなどの表示部41を、装置本体１の上面に設けている。このようにすると、表示部41を視認するだけで、装置本体１の各チャンネル毎に、第１の出力モジュール４が装着されているのか、第２の出力モジュール３が装着されているのかを直ちに確認できる。
1261371858687_0
は、上記表示部41を作成する表示作成装置の概略構成を表わしたものである。同図において、51は例えばキーボードなどの入力手段、52はたとえばパソコンなどの制御処理手段で、装置本体１の各チャンネルにどちらの出力モジュール３，４が装着されているのか、あるいは出力モジュール３，４の有無を入力手段51にて入力すると、それが制御処理手段52により処理され、印刷部53により表示部41として印刷表示されるようになっている。このように、装置本体１の各チャンネル毎に装着される出力モジュール３，４の種類および有無を入力し、この入力情報に基づいて、装置本体１の各チャンネル毎に装着される出力モジュール３，４の種類および有無を表示するようにすれば、装置本体１の各チャンネル毎にどの種類の出力モジュール３，４が装着されるのか、あるいは出力モジュール３，４の有無を入力すると、それを直ちに表示することが可能になる。
【００３５】
また、図５に示すように、前記入力手段51に代えて、装置本体１の各チャンネル毎に装着される出力モジュール３，４の種類や有無を検出する検出手段54を備え、この検出手段54からの検出情報に基づいて、装置本体１の各チャンネル毎のモジュールの種類を表示するようにしてもよい。このようにすれば、どちらの種類の出力モジュール３，４が装着されたのかをいちいち入力することなく、自動的に装置本体１の各チャンネルにどちらの出力モジュール３，４が装着されているのか、あるいは出力モジュール３，４が有るかないかを表示することができる。
【００３６】
図６は、別の例を示す表示部61である。ここでは、装置本体１の各チャンネル毎に窓部62を開口形成し、この窓部62に対応して、規格に対応した第１の出力モジュール４にのみ印部63を設ける。表示部61は窓部62と印部63とにより構成される。この印部63は、例えば第１の出力モジュール４の外面に貼着した着色シールからなる。そして、各出力モジュール３，４を装置本体１の各チャンネルにすると、第１の出力モジュール４にだけ設けた印部63が窓部62からあらわれることにより、それが第１のモジュールであることを直ちに確認できる。なお、この場合は、万一印部63の貼付けを忘れた場合を考慮して、安全性の高い第１の出力モジュール４に印部63を設けるようにするのが好ましい。こうすれば、誤って第１の出力モジュール４に印部63を付け忘れて、第２の出力モジュール３であると間違われても、そこには発煙や発火の危険性の少ない負荷装置が取り付けられるので安全である。また、ここには図示していないが、出力モジュール３，４の有無を表示するようにしてもよい。
本発明は上記実施例に限定されるものではなく、本発明の要旨の範囲において種々の変形実施が可能である。例えば、電源装置の形態は本実施例で示したマグアンプ制御方式に限らず、スイッチング素子を用いたいわゆるスイッチング方式や、ドロッパ方式などの他の方式の電源装置にも適用できる。
【００３７】
【発明の効果】
本発明の請求項１の電源装置によれば、特に第１の出力モジュールに関し、負荷装置並びに電源装置に対する安全性を高めた電源装置を提供できる。また、装置本体の各チャンネル毎に、第１の出力モジュールを装着するか、第２のモジュールを使用するかを、ユーザー側で自由に選定できる。
【００３８】
また、装置本体の各チャンネル毎に、第１の出力モジュールが装着されているのか、第２の出力モジュールが装着されているのか、あるいは出力モジュールの装着の有無を直ちに確認できる。
【００３９】
本発明の請求項２における電源装置の表示作成方法によれば、装置本体の各チャンネル毎にどの種類の出力モジュールが装着されるのか、あるいは出力モジュールが有るのか無いのかを入力するだけで、その内容を表示することができる。
【００４０】
本発明の請求項３における電源装置の表示作成方法によれば、いちいち入力することなく、自動的に装置本体の各チャンネルにどちらの出力モジュールが装着されているのか、あるいは出力モジュールの有無を表示できる。
【図面の簡単な説明】
【図１】本発明の第１実施例を示す電源装置の全体構成をあらわした一部切欠斜視図である。
【図２】同上第１の出力モジュールの回路図である。
【図３】同上２種類の出力モジュールを混載した電源装置の全体構成をあらわした一部切欠斜視図である。
【図４】同上表示部の表示作成装置を示すブロック図である。
【図５】同上表示部の別の表示作成装置を示すブロック図である。
【図６】同上電源装置の要部をあらわした平面図である。
【図７】従来例を示す電源装置の全体構成をあらわした一部切欠斜視図である。
【図８】従来例を示す出力モジュールの回路図である。
【符号の説明】
１ 装置本体
３ 第２の出力モジュール
４ 第１の出力モジュール（出力モジュール）
18 第３の電流制限手段
28 第１の電流制限手段
34 第２の電流制限手段
41，61 表示部
【図１】
0004482920.tif 000002
【図２】
0004482920.tif 000003
【図３】
0004482920.tif 000004
【図４】
0004482920.tif 000005
【図５】
0004482920.tif 000006
【図６】
0004482920.tif 000007
【図７】
0004482920.tif 000008
【図８】
0004482920.tif 000009